(57)【要約】【課題】簡単な構造で、コップの底面が置台に接する接地面積を最小限とするコップ状蓋体付き容器を提供することを目的とする。【解決手段】コップ状蓋体付き容器１は、容器本体２と、この容器本体２の開口２ａを塞ぐコップ状蓋体３とからなり、コップ状蓋体３は、容器本体２の上部に離脱可能に嵌合する中空形状の外枠部４と、この外枠部４の中央に設け容器本体２の開口２ａを塞ぐ蓋部６と、外枠部４の上下間に設けた底部５と、底部５から外枠部４の上下方向に設けた補強板７とを有している。【選択図】図１
2020142808.tif 000002
【特許請求の範囲】
【請求項１】
容器本体と、この容器本体の開口を塞ぐコップ状蓋体とからなり、このコップ状蓋体は、容器本体の上部に離脱可能に嵌合する中空形状の外枠部と、この外枠部の中央に設け容器本体の開口を塞ぐ蓋部と、外枠部の上下間に設けた底部と、底部から外枠部の上下方向に設けた補強板とを有し、コップ状蓋体の補強板とは反対側の空間に容器本体の内容物を収納可能にしてなるコップ状蓋体付き容器。
【発明の詳細な説明】
【技術分野】
【０００１】
本発明は、コップ状蓋体付き容器に関し、詳しくは、容器本体と、この容器本体の蓋とからなるコップ状蓋体付き容器に関するものである。
【背景技術】
【０００２】
従来、飲料用容器として、例えば、ペットボトルでは、容器本体と、この容器の開口を塞ぐ蓋をコップとして使用するものがある。
【先行技術文献】
【特許文献】
【０００３】
【特許文献１】特開2003-81303号公報
【特許文献２】特開2016-67468号公報
【発明の概要】
【発明が解決しようとする課題】
【０００４】
このように、従来の飲料用容器は、容器の開口を塞ぐ蓋とコップとを一体に形成して成るが、コップとして使用する際、このコップを置台に置いた時、コップの底面が置台に接する面積が広く、置台からの影響により、コップ内部の内容物の温度変化に大きく影響するので、置台とコップの底面との接地面積を狭くするために、コップの底面に凸部を形成しているが、コップの底面に凸部を形成するには、凸部を形成する工程が必要で、その分コストが生じるし、置台にコップを安定的に置くには、凸部の位置をバランスよく形成する必要があり、凸部の形成作業が面倒である（特許文献1）。
また、高齢者、子供等の手に力がない人や、手が不自由な人であっては、飲料用容器の開口を塞ぐ蓋を開けることは容易ではないので、蓋回しの機能を有する蓋回し補助具付きの部材の提案があるが、この様な部材により蓋を開けるのは、面倒である（特許文献2）。
【０００５】
本発明は、簡単な構造で、コップの底面が置台に接する接地面積を最小限とし、蓋回しが容易なコップ状蓋体付き容器を提供することを目的とする。
【課題を解決するための手段】
【０００６】
本発明に係るコップ状蓋体付き容器は、容器本体と、この容器本体の開口を塞ぐコップ状蓋体とからなり、このコップ状蓋体は、容器本体の上部に離脱可能に嵌合する中空形状の外枠部と、この外枠部の中央に設け容器本体の開口を塞ぐ蓋部と、外枠部の上下間に設けた底部と、底部から外枠部の上下方向に設けた補強板とを有し、コップ状蓋体の補強板とは反対側の空間に容器本体の内容物を収納可能にしてなる。
【０００７】
容器本体の内容物をコップ状蓋体に収納する際、コップ状蓋体の中空形状の外枠部が置台に接するだけなので、置台に接する接地面積を最小限とすることができる。
【０００８】
また、コップ状蓋体の底部は、外枠部の上下間に設けられているので、この底部と置台とが離間しているので、置台からの温度変化の影響を最小限にすることができる。
【０００９】
また、コップ状蓋体は、その底部から外枠部の上下方向に補強板を設けているので、容器本体の内容物を収納しても、補強板により補強されている底部に生じる内容物の荷重に耐えることができる。
【００１０】
また、この容器本体の開口を塞ぐコップ状蓋体を容器本体の開口から取り外してコップとして使用する際、コップ状蓋体には外枠部と補強板とにより窪地が形成されているので、高齢者、子供等の手に力がない人や、手が不自由な人であっても、この窪地に指を差し込んで回すと、指が補強板、外枠部に引っ掛かり、コップ状蓋体を容器本体の開口から容易に開閉することができる。
【発明の効果】
【００１１】
本発明によれば、コップ状蓋体を容器本体の開口から容易に開閉することができ、
コップの底面が置台に接する接地面積を最小限とするコップ状蓋体付き容器を構造簡単で提供することできる。
【図面の簡単な説明】
【００１２】
【図１】本発明に係る一実施形態の正面図である。
【図２】図1に示すコップ状蓋体の正面図である。
【図３】図２に示すコップ状蓋体のＩＩＩ−ＩＩＩ線に沿う断面図である。
【発明を実施するための形態】
【００１３】
本発明の一実施形態につき、図1乃至図３に基づき説明する。
コップ状蓋体付き容器１は、容器本体２と、この容器本体２の開口２ａを塞ぐコップ状蓋体３とからなる。
【００１４】
容器本体２は、円柱形状からなり、上部には開口２ａが設けられ、この開口２ａから内容物、例えば水を注入、抽出することができる。ここでは、水について説明するが、内容物は水に限らず、液体状の物であればよい。
【００１５】
コップ状蓋体３は、容器本体２の上部に離脱可能に嵌合する中空形状の外枠部４と、この外枠部４の中央に設け容器本体２の開口２ａを塞ぐ蓋部６と、外枠部４の上下間に設けた底部５と、底部５から外枠部４の上下方向に設けた補強板７とを有している。
【００１６】
外枠部４は、円柱形状からなり、容器本体２の上部に離脱可能に嵌合する。この外枠部４の中央には、蓋部６が外枠部４の上下方向に設けられる。図1に示す蓋部６の上辺６ａは、図1に示す外枠部４の上辺４ａと同じ位置で、外枠部４の上下方向に沿って形成され、この蓋部６が容器本体２の開口２ａを塞ぐべく、蓋部６と開口２ａとがスクリュー状の雌雄となっている。蓋部６の図1に示す下辺６ｂは、外枠部４の下辺４ｂよりも上方で外枠部４の内部に設けられている。
【００１７】
更に、外枠部４には、その内部に、蓋部６の図1に示す下辺６ｂの箇所に、コップとして使用する際の底となる底部５が外枠部４の上下間を塞ぐように形成されている。その為、
コップ状蓋体３をコップとして使用する際は、図2，3に示すように、容器本体２の内容物は蓋部６と底部５より上方の外枠部４の内部に入れることができ、外枠部４から漏れることがなく、外枠部４内の水を飲料することができる。
【００１８】
更に、外枠部４の内部には、図1に示す、外枠部４内を仕切る補強板７、７，７，７が底部５から外枠部４の上下方向に設けられている。この補強板７は９０度間隔で、底部５上に４板形成されている。ここでは、90度間隔に設けているが、これに限られず、例えば、120度間隔としても良く、補強板７の設置数は変更できる。
【００１９】
この補強板７は、図1に示すように、底部５から外枠部４の上辺４ａまで形成されており、コップ状蓋体３をコップとして使用する際は、図2，3に示すように、外枠部４、補強板７、蓋部６が置台に接するだけとなる。また、外枠部4内の水は、図2，3に示すように、蓋部６と外枠部4の底部5より上方に収納され、底部５が補強板７，７，７，７により補強されているので、底部５が水の重さにより底抜けすることがない。
また、この補強板７に孔を設け、この孔に取って紐を通すことにより、利用者はコップ状蓋体付き容器を取って紐により持ち運びすることができる。
【００２０】
コップ状蓋体３は、図1に示すように、蓋部６と外枠部4の底部5とにより窪地８となっており、容器本体２からコップ状蓋体３を取り外してコップとして使用する際、高齢者、子供等の手に力がない人や、手が不自由な人であっても、この窪地８に指を差し込み、指を回すと補強板７、外枠部４に指が引っ掛かり、コップ状蓋体３を容器本体２の開口２ａから開け易くなる。また、逆に、容器本体２にコップ状蓋体３を取り付ける際、高齢者、子供等の手に力がない人や、手が不自由な人であっても、この窪地８に指を差し込み、この指が補強板７、外枠部４に引っ掛かり、コップ状蓋体３で容器本体２の開口２ａを塞ぎやすくなる。
【００２１】
この様に、容器本体２からコップ状蓋体３を取り外してコップとして使用することができるので、公の場所において、容器本体２の開口２ａから直接内部の飲料を飲むことなく、コップ状蓋体３をコップとして使用することがでる。そのため、容器本体２の内容物をスムーズに飲むことができる。
容器本体２の開口２ａに直接口をつける必要がないので、容器本体２の開口２ａを衛生的に保つことができる。
【符号の説明】
【００２２】
１はコップ状蓋体付き容器
２は容器本体
２ａは開口
３はコップ状蓋体
４は外枠部
５は底部
６は蓋部
７は補強板
８は窪地
【図１】
2020142808.tif 000003
【図２】
2020142808.tif 000004
【図３】
2020142808.tif 000005